(57)【要約】【課題】予め下孔を設ける必要がなくて施工の手間を軽減することができ、しかも、ねじ込みやすいビスを提供する。【解決手段】ネジ部１を有する軸部２と、軸部２の先端に設けたドリル部３とを有し、ネジ部１を軸部２の一部分のみに形成する。軸部２の先端に設けたドリル部３で穿孔しながらねじ込むことができる。ネジ部１を軸部２の一部分のみに形成することで、軸部２の全長に亘ってネジ部１が形成されている場合に比べて、ねじ込む際のネジ部１による摩擦を小さくすることができる。【選択図】図１
2008032133.tif 000002
【特許請求の範囲】
【請求項１】
ネジ部を有する軸部と、軸部の先端に設けたドリル部とを有し、ネジ部を軸部の一部分のみに形成して成ることを特徴とするビス。
【請求項２】
金属フレームの表面に配置されたパネルと、このパネルの表面に配置された建築部材とを貫通して建築部材を金属フレームに固定するための建築部材取付用ビスであって、ネジ部を有する軸部と、軸部の先端に設けたドリル部とを有し、ネジ部はパネルと金属フレームにのみに螺合するようにネジ部を軸部の一部分のみに形成して成ることを特徴とする建築部材取付用ビス。
【請求項３】
金属フレームの表面に配置されたパネルの表面に建築部材を固定するための建築部材取付用ビスであって、パネルと建築部材の厚み寸法に応じて、ネジ部から頭部までの長さを設定して成ることを特徴とする請求項２に記載の建築部材取付用ビス。
【請求項４】
ドリル部が金属フレームを貫通した後にネジ部がパネルに導入されるように、ネジ部からドリル部の先端までの長さを設定して成ることを特徴とする請求項２又は３に記載の建築部材取付用ビス。
【請求項５】
パネルの内部に金属製の補強材を設け、ドリル部が金属フレームを貫通した後にネジ部が補強材に導入されるように、ネジ部からドリル部の先端までの長さを設定して成ることを特徴とする請求項２乃至４に記載の建築部材取付用ビス。
【請求項６】
ネジ部の直径よりも大きな孔を建築部材に形成するためのリーマ片をドリル部に突設して成ることを特徴とする請求項２乃至５のいずれか１項に記載の建築部材取付用ビス。
【請求項７】
金属フレームの表面にパネルを配置すると共にこのパネルの表面に建築部材を配置し、建築部材の表面から建築部材とパネルとを貫通するように建築部材取付用ビスをねじ込んで建築部材を金属フレームに固定するようにした建築部材の取付構造であって、建築部材取付用ビスはネジ部を有する軸部と、軸部の先端に設けたドリル部とを有し、ネジ部を軸部の一部分のみに形成し、ネジ部をパネルと金属フレームにのみに螺合して成ることを特徴とする建築部材の取付構造。
【請求項８】
内部に金属製の補強材を設けたパネルを用い、ドリル部が金属フレームを貫通した後にネジ部が補強材に導入されるように、ネジ部からドリル部の先端までの長さを設定した建築部材取付用ビスを用いて成ることを特徴とする請求項７に記載の建築部材の取付構造。
【発明の詳細な説明】
【技術分野】
【０００１】
本発明は、部材を取り付けるためのビス、及び建築部材を取り付けるための建築部材取付用ビス並びに建築部材の取付構造に関するものであり、特に、壁の改修に好適に使用することができるものである。
【背景技術】
【０００２】
従来より、外壁材の表面に役物を取り付けたり外壁材を建物の枠体に取り付けるにあたって、ビスが用いられている（例えば、特許文献１、２参照）。従来から用いられているビスでは、ビスをねじ込むための下孔（貫通孔）を外壁材や役物や枠体に予めねじ込む前に形成しておかなければならず、また、外壁材と役物と枠体の下孔の位置合わせをしなければならず、施工に手間がかかるという問題があった。しかも、ビスの全長に亘ってネジ部（雄ネジ）を形成しているために、ビス全体をねじ込むまで外壁材や役物や枠体に対する摩擦が大きくなり、ねじ込みにくいという問題があった。
【特許文献１】特開２００３−３０６９７８号公報
【特許文献２】特開２００４−１６２５０６号公報
【発明の開示】
【発明が解決しようとする課題】
【０００３】
本発明は上記の点に鑑みてなされたものであり、予め下孔を設ける必要がなくて施工の手間を軽減することができ、しかも、ねじ込みやすいビス及び建築部材取付用ビス並びにこれを用いた建築部材の取付構造を提供することを目的とするものである。
【課題を解決するための手段】
【０００４】
本発明の請求項１に係るビスは、ネジ部１を有する軸部２と、軸部２の先端に設けたドリル部３とを有し、ネジ部１を軸部２の一部分のみに形成して成ることを特徴とするものである。
【０００５】
本発明の請求項２に係る建築部材取付用ビスＡは、金属フレーム４の表面に配置されたパネル５と、このパネル５の表面に配置された建築部材６とを貫通して建築部材６を金属フレーム４に固定するための建築部材取付用ビスＡであって、ネジ部１を有する軸部２と、軸部２の先端に設けたドリル部３とを有し、ネジ部１はパネル５と金属フレーム４にのみに螺合するようにネジ部１を軸部２の一部分のみに形成して成ることを特徴とするものである。
【０００６】
本発明の請求項３に係る建築部材取付用ビスＡは、請求項２に加えて、金属フレーム４の表面に配置されたパネル５の表面に建築部材６を固定するための建築部材取付用ビスＡであって、パネル１と建築部材６の厚み寸法に応じて、ネジ部１から頭部２０までの長さを設定して成ることを特徴とするものである。
【０００７】
本発明の請求項４に係る建築部材取付用ビスＡは、請求項２又は３に加えて、ドリル部３が金属フレーム４を貫通した後にネジ部１がパネル５に導入されるように、ネジ部１からドリル部３の先端までの長さを設定して成ることを特徴とするものである。
【０００８】
本発明の請求項５に係る建築部材取付用ビスＡは、請求項２乃至４に加えて、パネル５の内部に金属製の補強材２３を設け、ドリル部３が金属フレーム４を貫通した後にネジ部１が補強材２３に導入されるように、ネジ部１からドリル部３の先端までの長さを設定して成ることを特徴とするものである。
【０００９】
本発明の請求項６に係る建築部材取付用ビスＡは、請求項２乃至５のいずれか１項に加えて、ネジ部１の直径よりも大きな孔を建築部材６に形成するためのリーマ片７をドリル部３に突設して成ることを特徴とするものである。
【００１０】
本発明の請求項７に係る建築部材の取付構造は、金属フレーム４の表面にパネル５を配置すると共にこのパネル５の表面に建築部材６を配置し、建築部材６の表面から建築部材６とパネル５とを貫通するように建築部材取付用ビスＡをねじ込んで建築部材６を金属フレーム４に固定するようにした建築部材の取付構造であって、建築部材取付用ビスＡはネジ部１を有する軸部２と、軸部２の先端に設けたドリル部３とを有し、ネジ部１を軸部２の一部分のみに形成し、ネジ部１をパネル５と金属フレーム４にのみに螺合して成ることを特徴とするものである。
【００１１】
本発明の請求項８に係る建築部材の取付構造は、請求項７に加えて、内部に金属製の補強材２３を設けたパネル５を用い、ドリル部３が金属フレーム４を貫通した後にネジ部１が補強材２３に導入されるように、ネジ部１からドリル部３の先端までの長さを設定した建築部材取付用ビスＡを用いて成ることを特徴とするものである。
【発明の効果】
【００１２】
本発明の請求項１に係るビスでは、軸部２の先端に設けたドリル部３で穿孔しながらねじ込むことができ、予め下孔を設ける必要が無く、施工にかかる手間を軽減することができるものである。しかも、ネジ部１を軸部２の一部分のみに形成することで、軸部２の全長に亘ってネジ部１が形成されている場合に比べて、ねじ込む際のネジ部１による摩擦を小さくすることができ、ねじ込みやすくなるものである。
【００１３】
本発明の請求項２に係る建築部材取付用ビスＡでは、軸部２の先端に設けたドリル部３で建築部材６とパネル５と金属フレーム４とに穿孔しながらねじ込むことができ、予め下孔を建築部材６とパネル５と金属フレーム４とに設ける必要が無く、施工にかかる手間を軽減することができるものである。しかも、ネジ部１を軸部２の一部分のみに形成することで、軸部２の全長に亘ってネジ部１が形成されている場合に比べて、ねじ込む際の建築部材６とパネル５と金属フレーム４に対するネジ部１の摩擦を小さくすることができ、ねじ込みやすくなるものである。
【００１４】
本発明の請求項３に係る建築部材取付用ビスＡでは、金属フレーム４にねじ込まれた後、必要以上にねじ込み続ける必要がなくなるものである。
【００１５】
本発明の請求項４に係る建築部材取付用ビスＡでは、ドリル部３で金属フレーム４に穿孔するまでにネジ部１がパネル５に螺合しないようにすることができ、ドリル部３で金属フレーム４に穿孔する際にネジ部１とパネル５との摩擦が無くなって穿孔しやすくなるものである。
【００１６】
本発明の請求項５に係る建築部材取付用ビスＡでは、ドリル部３で金属フレーム４に穿孔するまでにネジ部１がパネル５の補強材２３に螺合しないようにすることができ、ドリル部３で金属フレーム４に穿孔する際にネジ部１と補強材２３との摩擦が無くなって穿孔しやすくなるものである。
【００１７】
本発明の請求項６に係る建築部材取付用ビスＡでは、リーマ片７によりネジ部１の直径よりも大きな孔を建築部材６に形成し、この孔にネジ部１を通過させることによって、ネジ部１と建築部材６との摩擦を小さくすることができ、さらにねじ込みやすくなるものである。
【００１８】
本発明の請求項７に係る建築部材の取付構造では、軸部２の先端に設けたドリル部３で建築部材６とパネル５と金属フレーム４とに穿孔しながらねじ込むことができ、予め下孔を建築部材６とパネル５と金属フレーム４とに設ける必要が無く、施工にかかる手間を軽減することができるものである。しかも、ネジ部１を軸部２の一部分のみに形成することで、軸部２の全長に亘ってネジ部１が形成されている場合に比べて、ねじ込む際の建築部材６とパネル５と金属フレーム４に対するネジ部１の摩擦を小さくすることができ、ねじ込みやすくなるものである。
【００１９】
本発明の請求項８に係る建築部材の取付構造では、ドリル部３で金属フレーム４に穿孔するまでにネジ部１がパネル５の補強材２３に螺合しないようにすることができ、ドリル部３で金属フレーム４に穿孔する際にネジ部１と補強材２３との摩擦が無くなって穿孔しやすくなるものである。
【発明を実施するための最良の形態】
【００２０】
以下、本発明を実施するための最良の形態を説明する。
【００２１】
図１に本発明のビスとして建築部材取付用ビスＡを示す。この建築部材取付用ビスＡはステンレス鋼などの金属材料で形成されるものであって、ネジ部１が形成された軸部２と、軸部２の先端に突設したドリル部３と、軸部２の後端に設けた頭部２０とを備えている。軸部２は丸棒状に形成されており、その周面（外周面）の一部にネジ部１として雄ねじが形成されている。ネジ部１の位置や長さは後述のパネルの厚みや建築部材６の厚みなどに応じて設定されている。ドリル部３は先端が尖鋭であって、その周面（外周面）にはドリル刃３ａが設けられている。また、ドリル部３の周面には一対の薄片のリーマ片７、７が突設されている。この一対のリーマ片７、７の先端間の距離Ｗは、軸部２及びネジ部１の直径（外径）Ｄ１よりも大きく形成されている。頭部２０は逆円錐台の形状に形成されており、その最も広い部分の直径Ｄ２は一対のリーマ片７、７の先端間の距離Ｗよりも大きく形成されている。尚、ドリル部３の直径は軸部２の直径とほぼ同等である。また、リーマ片７は必要に応じて設けることができ、無くてもよい。
【００２２】
図２に上記の建築部材取付用ビスＡを用いて建築部材６をパネル５の表面（屋外側面）に取り付けた構造を示す。ここで、パネル５は建物の骨組み材である鉄骨などの金属フレーム４に取り付けられている。図２では金属フレーム４として垂直片４ａの上端と下端に水平片４ｂ、４ｂを設けた断面コ字状の形鋼を用いているが、これらに限定されるものではなく、金属フレーム４は垂直片４ａと水平片４ｂとからなる断面Ｌ字型の形鋼や、断面ロ字型、断面Ｈ型などの形鋼で形成することができる。
【００２３】
パネル５は表面板２１と裏面板２２とを有して形成されている。表面板２１及び裏面板２２は平板状の珪酸カルシウム板などで形成されている。そして、表面板２１と裏面板２２とを対向配置すると共に表面板２１と裏面板２２の少なくとも端部間に枠材（図示省略）を配置することによって、表面板２１と裏面板２２とを一体化してパネル５を形成することができる。また、表面板２１と裏面板２２との間にグラスウールや発泡ウレタンなどの断熱材を充填してパネル５を断熱パネルとして形成してもよい。そして、パネル５の裏面（裏面板２２の外側面）を金属フレーム４の垂直片４ａの表面（屋外側の面）に当接した状態で、パネル５は金属フレーム４に固定して取り付けられている。建築部材６は胴縁として用いるものであって、木製の角材などで形成されている。
【００２４】
そして、パネル５の表面に建築部材６を取り付けるにあたっては、まず、金属フレーム４の垂直片４ａと対向する位置において、建築部材６をパネル５の表面（表面材２１の外側面）に接触させて配置する。次に、建築部材６の表面（屋外側の面）から上記の建築部材取付用ビスＡをねじ込んで螺入していく。このとき、建築部材取付用ビスＡはそのドリル部３で建築部材６、表面板２１、裏面板２２及び金属フレーム４の垂直片４ａに穿孔しながら螺進していくため、建築部材６、表面板２１、裏面板２２及び金属フレーム４の垂直片４ａに、建築部材取付用ビスＡのねじ込み前に予め下孔をあけておく必要が無くなり、また、下孔を位置合わせする必要もなくなって、施工にかかる手間を軽減することができるものである。次に、建築部材取付用ビスＡの軸部２のネジ部１をパネル５の裏面板２２と金属フレーム４の垂直片４ａとに螺合した状態で貫通させて締め付けることによって、パネル５の表面に建築部材６を建築部材取付用ビスＡで固定して取り付けることができる。尚、この実施の形態で用いられている建築部材取付用ビスＡにはリーマ片７が設けられていない。
【００２５】
ネジ部１は、最終的に建築部材取付用ビスＡの締め付け後に、裏面板２２と金属フレーム４の垂直片４ａとに螺合する部分に形成されておればよく、ネジ部１の長さＬ１は裏面板２２の厚みＴ１と垂直片４ａの厚みＴ２の合計量よりも大きく、Ｌ１＝Ｔ１+Ｔ２+αとし、α＝４〜２０ｍｍであることが好ましい。この長さαにより、施工における裏面板２２の厚みＴ１と垂直片４ａの厚みＴ２のバラツキや不陸などを吸収することができる。そして、αをより小さくすることで、パネル５の表面板２１をネジ部１が通過すると、建築部材取付用ビスＡを回転させずともネジ部１を裏面板２２に到達させることができ、より施工性が向上するものであるが、ネジ部１が軸部２の後端（頭部２０との境界部分）にまで到達するように形成することもできる。
【００２６】
図３に他の実施の形態を示す。この実施の形態では、パネル５が、表面板２１の内側面と裏面板２２の内側面の全面に亘ってステンレス鋼などの金属板を補強材２３、２３として設けて形成したものである。また、補強材２３、２３の間にグラスウールや発泡ウレタンなどの断熱材を充填してパネル５を断熱パネルとして形成してもよい。また、建築部材取付用ビスＡのネジ部１の長さＬ１は裏面板２２の厚みＴ１と垂直片４ａの厚みＴ２と裏面板２１に設けた補強材２３の厚みＴ３の合計量よりも大きく、Ｌ１＝Ｔ１＋Ｔ２＋Ｔ３＋αであることが好ましい。この長さαにより、施工における裏面板２２の厚みＴ１と垂直片４ａの厚みＴ２と補強材２３の厚みＴ３のバラツキや不陸などを吸収することができる。長さαは４ｍｍ以上で、ネジ部１が軸部２の後端（頭部２０との境界部分）にまで到達するように形成することができるが、好ましくは、α＝４〜２０ｍｍである。αをより小さくすることで、パネル５の表面板２１及びこれに設けた補強材２３をネジ部１が通過すると、建築部材取付用ビスＡを回転させずともネジ部１を裏面板２２及びこれに設けた補強材２３に到達させることができ、より施工性が向上するものである。その他の構成は上記実施の形態と同様である。
【００２７】
そして、パネル５の表面に建築部材６を取り付けるにあたっては、上記と同様にして、金属フレーム４の垂直片４ａと対向する位置において、建築部材６をパネル５の表面に接触させて配置した後、建築部材６の表面（屋外側の面）から建築部材取付用ビスＡをねじ込んで螺入していく。このとき、建築部材取付用ビスＡはそのドリル部３で建築部材６、表面板２１、表面板２１に設けた補強材２３、裏面板２２に設けた補強材２３、裏面板２２及び金属フレーム４の垂直片４ａに穿孔しながら螺進していく。この後、建築部材取付用ビスＡのネジ部１をパネル５の裏面板２２と裏面板２２に設けた補強材２３と金属フレーム４の垂直片４ａとに螺合した状態で貫通させて締め付けることによって、パネル５の表面に建築部材６を建築部材取付用ビスＡで固定して取り付けることができる。尚、この実施の形態で用いられている建築部材取付用ビスＡは、リーマ片７を有するものである。
【００２８】
また、建築部材取付用ビスＡをねじ込む途中において、金属フレーム４の垂直片４ａにドリル部３で穿孔する際には、ネジ部１は、パネル５の表面板２１に設けた補強材２３に導入（螺入）していない方が摩擦が少なくなってねじ込みやすく、より好ましくは、ネジ部１はパネル５の表面板２１にも導入（螺入）していない方が摩擦がより少なくなってねじ込みやすい。従って、ドリル部３の先端からネジ部１の前端（ドリル部３側の端部）までの長さＬ２は、パネル５の全体厚みＴ０（表面板２１の外側面から裏面板２２の外側面までの長さ）に金属フレーム４の垂直片４ａの厚みＴ２を加えた厚み（Ｔ０+Ｔ２）よりも大きくするのが好ましい。尚、金属フレーム４の垂直片４ａにドリル部３で穿孔する際に、ネジ部１がパネル５の表面板２１（の孔６ａ）には導入された状態で、且つパネル５の表面板２１に設けた補強材２３には導入（螺入）していない状態にするには、ドリル部３の先端からネジ部１の前端（ドリル部３側の端部）までの長さＬ２は、パネル５の全体厚みＴ０に金属フレーム４の垂直片４ａの厚みＴ２を加えた厚み（Ｔ０+Ｔ２）から表面板２１の厚みを除いた長さ（表面板２１の内側面から裏面板２２の外側面までの長さ）よりも大きくするようにする。
【００２９】
本発明の建築部材取付用ビスＡのリーマ片７は、ドリル部３で建築部材６及び表面板２１に形成した孔をさらに大きくしてネジ部１の外径Ｄ１よりも大きな径の孔６ａを建築部材６及び表面板２１に形成するものである。従って、リーマ片７よりも頭部２０側にある軸部２が孔６ａの周面に接触しにくくなって、摩擦を軽減することができ、建築部材取付用ビスＡのねじ込みを容易に行うことができるものである。尚、リーマ片７は孔６ａの穿孔後に補強材２３に当たって切除されて最終的には無くなるものである。また、軸部２にはその長手方向（軸方向）の略中央部の一部にのみネジ部１が形成されており、その他の軸部２の周面は平滑な面に形成されているために、建築部材取付用ビスＡをねじ込む際の各部材との摩擦を小さくすることができ、建築部材取付用ビスＡのねじ込みを容易に行うことができるものである。
【００３０】
図４に他の実施の形態を示す。この実施の形態では、金属フレーム４は垂直片４ａと水平片４ｂとからなる断面Ｌ字型の形鋼を用いている。その他の構成は上記図３の実施の形態と同様である。
【００３１】
そして、パネル５の表面に建築部材６を取り付けるにあたっては、上記と同様にして、金属フレーム４の垂直片４ａと対向する位置において、建築部材６をパネル５の表面に接触させて配置した後、建築部材６の表面（屋外側の面）から建築部材取付用ビスＡをねじ込んで螺入していく。このとき、建築部材取付用ビスＡはそのドリル部３で建築部材６、表面板２１、表面板２１に設けた補強材２３、裏面板２２に設けた補強材２３、裏面板２２及び金属フレーム４の垂直片４ａに穿孔しながら螺進していく。この後、建築部材取付用ビスＡのネジ部１をパネル５の裏面板２２と裏面板２２に設けた補強材２３と金属フレーム４の垂直片４ａとに螺合した状態で貫通させて締め付けることによって、パネル５の表面に建築部材６を建築部材取付用ビスＡで固定して取り付けることができる。尚、この実施の形態で用いられている建築部材取付用ビスＡは、リーマ片７を有するものであるが、表面板２１に取り付けた補強材２３に当たって切除される。
【００３２】
図５に他の実施の形態を示す。この実施の形態では、パネル５の補強材２３として上記のような平板状のものを使用せずに、その代わりに、ステンレス鋼などの金属製で断面略ロ字状の長尺部材の補強材２３を設けたものである。この補強材２３は一対の取付片２４、２４とこれらの上端間及び下端間に設けられた支持片２５、２５とで形成されるものである。そして、表面板２１と裏面板２２とを対向配置すると共に表面板２１と裏面板２２の少なくとも端部間に補強材２３を枠材として配置し、一方の取付片２４を表面板２１の内側面に取り付けると共に他方の取付片２４を裏面板２２の内側面に取り付けることによって、表面板２１と裏面板２２と補強材２３とを一体化してパネル５が形成されている。また、建築部材取付用ビスＡのネジ部１の長さＬ１は裏面板２２の厚みＴ１と垂直片４ａの厚みＴ２と裏面板２１に取り付けた取付片２４の厚みＴ４の合計量よりも大きく（Ｌ１＝Ｔ１＋Ｔ２＋Ｔ４＋α）することが好ましい。その他の構成は上記実施の形態と同様である。
【００３３】
そして、パネル５の表面に建築部材６を取り付けるにあたっては、上記と同様にして、金属フレーム４の垂直片４ａと対向する位置において、建築部材６をパネル５の表面に接触させて配置した後、建築部材６の表面（屋外側の面）から建築部材取付用ビスＡをねじ込んで螺入していく。このとき、建築部材取付用ビスＡはそのドリル部３で建築部材６、表面板２１、表面板２１に取り付けた取付片２４、裏面板２２に取り付けた取付片２４、裏面板２２及び金属フレーム４の垂直片４ａに穿孔しながら螺進していく。この後、建築部材取付用ビスＡのネジ部１をパネル５の裏面板２２と裏面板２２に取り付けた取付片２４と金属フレーム４の垂直片４ａとに螺合した状態で貫通させて締め付けることによって、パネル５の表面に建築部材６を建築部材取付用ビスＡで固定して取り付けることができる。尚、この実施の形態で用いられている建築部材取付用ビスＡは、リーマ片７を有するものであるが、表面板２１に取り付けた補強材２３の取付片２４に当たって切除される。
【００３４】
図６に他の実施の形態を示す。この実施の形態では、パネル５の補強材２３として上記のような平板状や断面略ロ字状のものを使用せずに、その代わりに、ステンレス鋼などの金属製で断面略コ字状の補強材２３を設けたものである。この補強材２３は一対の取付片２４、２４とこれらの上端間に設けられた支持片２５とで下面が開口する断面略コ字状で長尺に形成されるものである。そして、表面板２１と裏面板２２とを対向配置すると共に表面板２１と裏面板２２の少なくとも端部間に補強材２３を枠材として配置し、一方の取付片２４を表面板２１の内側面に取り付けると共に他方の取付片２４を裏面板２２の内側面に取り付けることによって、表面板２１と裏面板２２と補強材２３とを一体化してパネル５が形成されている。また、建築部材取付用ビスＡのネジ部１の長さＬ１は裏面板２２の厚みＴ１と垂直片４ａの厚みＴ２と裏面板２１に取り付けた取付片２４の厚みＴ４の合計量よりも大きく（Ｌ１＝Ｔ１＋Ｔ２＋Ｔ４＋α）するのが好ましい。その他の構成は上記実施の形態と同様である。
【００３５】
そして、パネル５の表面に建築部材６を取り付けるにあたっては、上記と同様にして、金属フレーム４の垂直片４ａと対向する位置において、建築部材６をパネル５の表面に接触させて配置した後、建築部材６の表面（屋外側の面）から建築部材取付用ビスＡをねじ込んで螺入していく。このとき、建築部材取付用ビスＡはそのドリル部３で建築部材６、表面板２１、表面板２１に取り付けた取付片２４、裏面板２２に取り付けた取付片２４、裏面板２２及び金属フレーム４の垂直片４ａに穿孔しながら螺進していく。この後、建築部材取付用ビスＡのネジ部１をパネル５の裏面板２２と裏面板２２に取り付けた取付片２４と金属フレーム４の垂直片４ａとに螺合した状態で貫通させて締め付けることによって、パネル５の表面に建築部材６を建築部材取付用ビスＡで固定して取り付けることができる。尚、この実施の形態で用いられている建築部材取付用ビスＡは、リーマ片７を有するものであるが、表面板２１に取り付けた補強材２３の取付片２４に当たって切除される。
【００３６】
図７に他の実施の形態を示す。この実施の形態では、パネル５の補強材２３として上記のような平板状や断面略ロ字状や断面コ字状のものを使用せずに、その代わりに、ステンレス鋼などの金属製で、取付片２４と支持片２５とで断面Ｌ字状に形成された長尺部材を用いている。そして、表面板２１と裏面板２２とを対向配置すると共に表面板２１と裏面板２２の少なくとも端部間に補強材２３を枠材として配置し、取付片２４を表面板２１の内側面（裏面板２２と対向する面）に取り付けると共に支持片２５の先端を裏面板２２の内側面（表面板２１と対向する面）に取り付けることによって、表面板２１と裏面板２２と補強材２３とを一体化してパネル５を形成することができる。そして、パネル５の裏面（裏面板２２の外側面）を金属フレーム４の垂直片４ａの表面（屋外側の面）に当接した状態で、パネル５は金属フレーム４に固定して取り付けられている。その他の構成は上記実施の形態と同様である。
【００３７】
そして、パネル５の表面に建築部材６を取り付けるにあたっては、まず、金属フレーム４の垂直片４ａと対向する位置において、建築部材６をパネル５の表面（表面材２１の外側面）に接触させて配置する。次に、建築部材６の表面（屋外側の面）から上記の建築部材取付用ビスＡをねじ込んで螺入していく。このとき、建築部材取付用ビスＡはそのドリル部３で建築部材６、表面板２１、補強材２３の取付片２４、裏面板２２及び金属フレーム４の垂直片４ａに穿孔しながら螺進していくため、建築部材６、表面板２１、補強材２３の取付片２４、裏面板２２及び金属フレーム４の垂直片４ａに、建築部材取付用ビスＡのねじ込み前に予め下孔をあけておく必要が無くなり、また、下孔を位置合わせする必要もなくなって、施工にかかる手間を軽減することができるものである。次に、建築部材取付用ビスＡの軸部２のネジ部１をパネル５の裏面板２２と金属フレーム４の垂直片４ａとに螺合した状態で貫通させて締め付けることによって、パネル５の表面に建築部材６を建築部材取付用ビスＡで固定して取り付けることができる。尚、この実施の形態で用いられている建築部材取付用ビスＡは、リーマ片７を有するものであるが、表面板２１に取り付けた補強材２３の取付片２４に当たって切除される。また、ネジ部１の長さＬ１は裏面板２２の厚みＴ１と垂直片４ａの厚みＴ２の合計量よりも大きく、Ｌ１＝Ｔ１＋Ｔ２＋αであることが好ましい。
【００３８】
上記のいずれの実施形態においても、建築部材６に固定金具等を用いて窯業系の外壁材などを多数枚取り付けて外壁を形成することができる。従って、パネル５と金属フレーム４からなる建物の既存壁に本発明の建築部材取付用ビスＡを用いて建築部材６を取り付けて下地壁を形成し、この後、建築部材６に新規の外壁材を取り付けて新規壁を形成するようにして建物のリフォームをすることができる。勿論、リフォームだけでなく、パネル５と金属フレーム４と建築部材６及び外壁材から新規壁を形成するようにしてもよい。
【００３９】
また、上記のいずれの実施形態においても、建築部材６として胴縁となる木製の角材を用いているが、これに限らず、役物などの他の建築部材６であってもよい。例えば、図８では建築部材６として窯業系の外壁材を用いており、この外壁材を直接パネル５の表面に建築部材取付用ビスＡで固定して取り付けるようにしている。その他の構成は上記と同様である。尚、ここでは、パネル５として、表面板２１の内側面と裏面板２２の内側面の全面に亘ってステンレス鋼などの金属板を補強材２３、２３として設けたものを用い、金属フレーム４として垂直片４ａの上端と下端に水平片４ｂ、４ｂを設けた断面コ字状のものを用いているが、これらに限定されるものではなく、各種形状のパネル５や金属フレーム４を用いることができる。
【００４０】
尚、図２、図３、図８の実施の形態はパネル５の上下方向の略中央部を示す断面図であり、図４、図５、図６、図７の実施の形態はパネル５の下端部を示す断面図である。
【図面の簡単な説明】
【００４１】
【図１】本発明の建築部材取付用ビスの実施の形態の一例を示す正面図である。
【図２】本発明の建築部材の取付構造の実施の形態の一例を示す断面図である。
【図３】本発明の建築部材の取付構造の実施の形態の他例を示す断面図である。
【図４】本発明の建築部材の取付構造の実施の形態の他例を示す断面図である。
【図５】本発明の建築部材の取付構造の実施の形態の他例を示す断面図である。
【図６】本発明の建築部材の取付構造の実施の形態の他例を示す断面図である。
【図７】本発明の建築部材の取付構造の実施の形態の他例を示す断面図である。
【図８】本発明の建築部材の取付構造の実施の形態の他例を示す断面図である。
【符号の説明】
【００４２】
１  ネジ部
２  軸部
３  ドリル部
４  金属フレーム
５  パネル
６  建築部材
７  リーマ片
Ａ  建築部材取付用ビス
【図１】
2008032133.tif 000003
【図２】
2008032133.tif 000004
【図３】
2008032133.tif 000005
【図４】
2008032133.tif 000006
【図５】
2008032133.tif 000007
【図６】
2008032133.tif 000008
【図７】
2008032133.tif 000009
【図８】
2008032133.tif 000010